(57)【要約】      （修正有）【課題】シートベルトの形状の異なる複数種の連結金具を１種類の共通部材により保持することができる作業機械の連結金具収納体を提供する。【解決手段】機体11に搭載した運転席15に非巻取り式のシートベルト21を設ける。このシートベルト21は、運転席15の一側および他側にベルト部を設けるとともに、これらのベルト部に相互に連結解除可能な連結金具をそれぞれ取付ける。運転席15の一側に配置したコンソール16Rなどに金具収納体24Rを取付け、この金具収納体24R内にシートベルト21の連結解除された少なくとも一方の連結金具を収納する。この金具収納体24Rは、連結金具の背面部、底面部、前面部および左右の側面部をそれぞれ支持する。【選択図】図１
2005178421.tif 000002
【特許請求の範囲】
【請求項１】
機体と、
機体に搭載された運転席と、
運転席の一側および他側に設けられたベルト部を有するとともにこれらのベルト部にそれぞれ取付けられた相互に連結解除可能な連結金具を有する非巻取り式のシートベルトと、
シートベルトの連結解除された少なくとも一方の連結金具の背面部、底面部、前面部および左右の側面部をそれぞれ支持する金具収納体と
を具備したことを特徴とする作業機械。
【請求項２】
運転席の側部に設置されたコンソールを備え、
金具収納体は、コンソールの後側面に取付けられた
ことを特徴とする請求項１記載の作業機械。
【請求項３】
運転席の一側部に固定設置された一側のコンソールと、
運転席の他側部に可動設置された他側のコンソールと、
一側のコンソールの後側面に取付けられた一側の金具収納体と、
他側のコンソールの後方に位置するグラブハンドルに取付けられた他側の金具収納体と
を具備したことを特徴とする請求項１または２記載の作業機械。
【請求項４】
運転席の一側部に固定設置された一側のコンソールと、
運転席の他側部に可動設置された他側のコンソールと、
一側のコンソールの後側面に取付けられた一側の金具収納体と、
他側のコンソールの後方に位置する機体の一部に取付けられた他側の金具収納体と
を具備したことを特徴とする請求項１または２記載の作業機械。
【請求項５】
金具収納体は、
連結金具の背面部を支持する背面支持部と、
連結金具の底面部を支持する底面支持部と、
連結金具の前面部を支持する前面支持部と、
連結金具の左右の側面部をそれぞれ支持する側面支持部と
を具備したことを特徴とする請求項１乃至４のいずれか記載の作業機械。
【請求項６】
金具収納体は、底面支持部および前面支持部の中央部が開口された開口部を有する
ことを特徴とする請求項５記載の作業機械。
【請求項７】
金具収納体の背面支持部、底面支持部、前面支持部および左右の側面支持部は、１枚の板材により形成された
ことを特徴とする請求項５または６記載の作業機械。
【請求項８】
金具収納体の背面支持部、底面支持部および前面支持部は、１枚の板材により形成され、
金具収納体の左右の側面支持部は、線材により形成された
ことを特徴とする請求項５または６記載の作業機械。
【請求項９】
金具収納体の背面支持部、左右の側面支持部および前面支持部は、１枚の板材により形成され、
金具収納体の底面支持部は、線材により形成された
ことを特徴とする請求項５または６記載の作業機械。
【請求項１０】
金具収納体の背面支持部、底面支持部、前面支持部および左右の側面支持部は、一連の線材により形成された
ことを特徴とする請求項５記載の作業機械。
【発明の詳細な説明】
【技術分野】
【０００１】
本発明は、シートベルトの連結金具を収納する金具収納体を備えた作業機械に関するものである。
【背景技術】
【０００２】
従来、油圧ショベルなどの作業機械に搭載された運転席には巻取り式または非巻取り式のシートベルトが装着されている。非巻取り式のシートベルトには、一側および他側に設けられたベルト部の連結金具を連結解除した際に、少なくとも一方のベルト部および連結金具が床面に落ちて汚れたり、連結金具が周囲に当って傷を付けるなどの問題があるとともに、この連結金具は重いために直ぐに床に落ちてしまい、その際に見つけることが難しくなり、また、そのたびに拾上げることが煩わしくなるなどの問題がある。
【０００３】
これに対して、運転席もしくはその周囲近傍に連結金具保持用の保持部材を設け、連結解除されたシートベルトの連結金具を保持部材に係合させて床面に落下させないようにした建設機械が知られている。この従来の保持部材は、雄型の連結金具および雌型の連結金具のそれぞれと対応する形状の係合構造を有している。（例えば、特許文献１参照）。
【特許文献１】特開２００２−６１２２８号公報（第４−５頁、図１−４）
【発明の開示】
【発明が解決しようとする課題】
【０００４】
このように、従来は、雄型の連結金具および雌型の連結金具のそれぞれと対応する形状の係合構造を有する保持部材によってこれらの連結金具を保持しているので、また、車両によってシートベルトのベルト幅が例えば２インチタイプと３インチタイプのように異なると、同じ雄型でも連結金具の形状が異なるので、これらの異なる形状の連結金具に対応して、各連結金具のそれぞれと対応する形状の係合構造を有する保持部材を用意しなければならない問題点がある。
【０００５】
本発明は、このような点に鑑みなされたもので、シートベルトの形状の異なる複数種の連結金具を１種類の共通部材により保持することができる作業機械を提供することを目的とするものである。
【課題を解決するための手段】
【０００６】
請求項１記載の発明は、機体と、機体に搭載された運転席と、運転席の一側および他側に設けられたベルト部を有するとともにこれらのベルト部にそれぞれ取付けられた相互に連結解除可能な連結金具を有する非巻取り式のシートベルトと、シートベルトの連結解除された少なくとも一方の連結金具の背面部、底面部、前面部および左右の側面部をそれぞれ支持する金具収納体とを具備した作業機械であり、非巻取り式のシートベルトの連結解除された少なくとも一方の連結金具は運転席から脱落するおそれがあるので、その連結金具を金具収納体内に収納して脱落防止を図り、その際に、金具収納体は、連結金具の背面部、底面部、前面部および左右の側面部をそれぞれ支持するので、１種類の金具収納体でも、形状の異なる複数種の連結金具を囲むようにして収納保持することが可能となる。
【０００７】
請求項２記載の発明は、請求項１記載の作業機械において、運転席の側部に設置されたコンソールを備え、金具収納体は、コンソールの後側面に取付けられたものであり、運転席の側部に設置されたコンソールの後側面に金具収納体を取付けることで、この金具収納体への連結金具の収納操作が容易になる。
【０００８】
請求項３記載の発明は、請求項１または２記載の作業機械において、運転席の一側部に固定設置された一側のコンソールと、運転席の他側部に可動設置された他側のコンソールと、一側のコンソールの後側面に取付けられた一側の金具収納体と、他側のコンソールの後方に位置するグラブハンドルに取付けられた他側の金具収納体とを具備したものであり、一側の固定設置されたコンソールに対し他側のコンソールが可動設置された場合は、その可動側のコンソールに金具収納体を取付けると、その金具収納体から連結金具が脱落するおそれもあるが、可動側のコンソールの後方に位置するグラブハンドルの一部に金具収納体を設置することで、金具収納体からの連結金具の脱落のおそれを防止する。
【０００９】
請求項４記載の発明は、請求項１または２記載の作業機械において、運転席の一側に固定設置された一側のコンソールと、運転席の他側に可動設置された他側のコンソールと、一側のコンソールの後側面に取付けられた一側の金具収納体と、他側のコンソールの後方に位置する機体の一部に取付けられた他側の金具収納体とを具備したものであり、一側の固定設置されたコンソールに対し他側のコンソールが可動設置された場合は、その可動側のコンソールに金具収納体を取付けると、その金具収納体から連結金具が脱落するおそれもあるが、可動側のコンソールの後方に位置する機体の一部に金具収納体を設置することで、金具収納体からの連結金具の脱落のおそれを防止する。
【００１０】
請求項５記載の発明は、請求項１乃至４のいずれか記載の作業機械における金具収納体が、連結金具の背面部を支持する背面支持部と、連結金具の底面部を支持する底面支持部と、連結金具の前面部を支持する前面支持部と、連結金具の左右の側面部をそれぞれ支持する側面支持部とを具備したものであり、背面支持部と底面支持部と前面支持部と左右の側面支持部とを備えた金具収納体により、形状の異なる複数種の連結金具を囲むようにして確実に収納保持することが可能となる。
【００１１】
請求項６記載の発明は、請求項５記載の作業機械における金具収納体において、底面支持部および前面支持部の中央部が開口された開口部を有するものであり、金具収納体の底面支持部および前面支持部の中央部を開口することで、これらの開口部に指を挿入して連結金具の脱着操作を容易にすることが可能となるとともに、この開口部によって水や泥などのゴミが溜まることを防ぐことが可能となる。また、この開口部よりシートベルトのベルト部を下方へ引出すことができるので、このベルト部に張力が作用した場合でも、連結金具が金具収納体から抜け出るおそれがない。
【００１２】
請求項７記載の発明は、請求項５または６記載の作業機械において、金具収納体の背面支持部、底面支持部、前面支持部および左右の側面支持部が、１枚の板材により形成されたものであり、金具収納体の背面支持部、底面支持部、前面支持部および左右の側面支持部を、プレス加工によって１枚の板材から容易に形成することが可能となる。
【００１３】
請求項８記載の発明は、請求項５または６記載の作業機械において、金具収納体の背面支持部、底面支持部および前面支持部は、１枚の板材により形成され、金具収納体の左右の側面支持部は、線材により形成されたものであり、左右の側面支持部を線材により形成することで、金具収納体の背面支持部、底面支持部および前面支持部を１枚の板材から一連に材料取りすることが可能であるから、板材からの材料取り効率が向上する。
【００１４】
請求項９記載の発明は、請求項５または６記載の作業機械において、金具収納体の背面支持部、左右の側面支持部および前面支持部は、１枚の板材により形成され、金具収納体の底面支持部は、線材により形成されたものであり、底面支持部を線材により形成することで、金具収納体の背面支持部、左右の側面支持部および前面支持部を１枚の板材から一連に材料取りすることが可能であるから、板材からの材料取り効率が向上する。
【００１５】
請求項１０記載の発明は、請求項５記載の作業機械において、金具収納体の背面支持部、底面支持部、前面支持部および左右の側面支持部は、一連の線材により形成されたものであり、金具収納体の背面支持部、底面支持部、前面支持部および左右の側面支持部を、一連の線材で安価に形成することが可能となる。
【発明の効果】
【００１６】
請求項１記載の発明によれば、非巻取り式のシートベルトの連結解除された少なくとも一方の連結金具は運転席から脱落するおそれがあるので、その連結金具を金具収納体内に収納して脱落防止を図れ、その際に、金具収納体は、連結金具の背面部、底面部、前面部および左右の側面部をそれぞれ支持するので、１種類の金具収納体でも、形状の異なる複数種の連結金具を囲むようにして収納保持できる。
【００１７】
請求項２記載の発明によれば、運転席の側部に設置されたコンソールの後側面に金具収納体を取付けることで、この金具収納体への連結金具の収納操作を容易にできる。
【００１８】
請求項３記載の発明によれば、一側の固定設置されたコンソールに対し他側のコンソールが可動設置された場合は、その可動側のコンソールに金具収納体を取付けると、その金具収納体から連結金具が脱落するおそれもあるが、可動側のコンソールの後方に位置するグラブハンドルの一部に金具収納体を設置することで、金具収納体からの連結金具の脱落のおそれを防止できる。
【００１９】
請求項４記載の発明によれば、一側の固定設置されたコンソールに対し他側のコンソールが可動設置された場合は、その可動側のコンソールに金具収納体を取付けると、その金具収納体から連結金具が脱落するおそれもあるが、可動側のコンソールの後方に位置する機体の一部に金具収納体を設置することで、金具収納体からの連結金具の脱落のおそれを防止できる。
【００２０】
請求項５記載の発明によれば、背面支持部と底面支持部と前面支持部と左右の側面支持部とを備えた金具収納体により、形状の異なる複数種の連結金具を囲むようにして確実に収納保持できる。
【００２１】
請求項６記載の発明によれば、金具収納体の底面支持部および前面支持部の中央部を開口することで、これらの開口部に指を挿入して連結金具の脱着操作を容易にできるとともに、この開口部によって水や泥などのゴミが溜まることを防止できる。また、この開口部よりシートベルトのベルト部を下方へ引出すことができるので、このベルト部に張力が作用した場合でも、連結金具が金具収納体から抜け出ることを防止できる。
【００２２】
請求項７記載の発明によれば、金具収納体の背面支持部、底面支持部、前面支持部および左右の側面支持部を、プレス加工によって１枚の板材から容易に形成できる。
【００２３】
請求項８記載の発明によれば、左右の側面支持部を線材により形成することで、金具収納体の背面支持部、底面支持部および前面支持部を１枚の板材から一連に材料取りすることが可能であるから、板材からの材料取り効率を向上できる。
【００２４】
請求項９記載の発明によれば、底面支持部を線材により形成することで、金具収納体の背面支持部、左右の側面支持部および前面支持部を１枚の板材から一連に材料取りすることが可能であるから、板材からの材料取り効率を向上できる。
【００２５】
請求項１０記載の発明によれば、金具収納体の背面支持部、底面支持部、前面支持部および左右の側面支持部を、一連の線材で安価に形成できる。
【発明を実施するための最良の形態】
【００２６】
以下、本発明を、図１乃至図７に示された第１の実施の形態、図８および図９に示された第２の実施の形態、図１０および図１１に示された第３の実施の形態、図１２および図１３に示された第４の実施の形態、図１４乃至図１７に示された第５の実施の形態、図１８および図１９に示された第６の実施の形態を参照して、詳細に説明する。
【００２７】
先ず、図１乃至図７に示された第１の実施の形態を説明する。
【００２８】
図５は、油圧ショベルを示し、機体11が下部走行体12と、この下部走行体12上に旋回可能に設けられた上部旋回体13とによって構成されている。上部旋回体13には、キャノピ14により覆われた運転席15およびこの運転席15の左右部に位置するコンソール16が搭載され、このコンソール16上に操作レバー17が突設されている。下部走行体12にはブレード18が設けられ、上部旋回体13には掘削作業装置19、作動油および燃料のタンク20などが搭載されている。
【００２９】
図１および図３に示されるように、運転席15の一側および他側には非巻取り式のシートベルト21が設けられている。このシートベルト21は、運転席15の左右部に取付けられたベルト部22を有するとともに、これらのベルト部22にそれぞれ取付けられた相互に連結解除可能な連結金具23を有する。
【００３０】
図１に示されるように、運転席15の一側部に設けられた一側のコンソール16Rは固定設置され、図３に示されるように運転席15の他側部に設けられた他側のコンソール16Lは可動設置されている。すなわち、オペレータから見て左側のコンソール16Lはチルト回動可能に設けられ、オペレータが作業機械を運転するときのコンソール位置に対して、オペレータが乗降する際はこのコンソール16Lを跳ね上げることができる構造となっている。
【００３１】
このため、固定設置された一側のコンソール16Rの後側面には、図２に示されるように一側の金具収納体24Rが直接取付けられているが、可動設置された他側のコンソール16Lの後側面には他側の金具収納体24Lを直接設置せず、図４に示されるように他側のコンソール16Lの後方に位置するグラブハンドル25の一部に、取付金具26により、他側の金具収納体24Lを取付けるようにする。
【００３２】
グラブハンドル25は、機体11の昇降口側で床面より立ち上げられて、上部がコンソール16Lの後方に回り込むように形成されているので、このコンソール16Lの後方部分で、グラブハンドル25の一部に金具収納体24Lを取付ける。その際の、取付金具26は、帯金状のものをグラブハンドル25の水平部分に巻付けるようにして固定し、この取付金具26に金具収納体24Lの背面支持部31をねじ37により固定する。
【００３３】
このように、一側の固定設置されたコンソール16Rに対し他側のコンソール16Lが可動設置された場合は、その可動側のコンソール16Lに金具収納体24Lを取付けると、その金具収納体24Lからシートベルト連結金具が脱落するおそれもあるが、可動側のコンソール16Lの後方に位置するグラブハンドル25の一部に金具収納体24Lを設置することで、この金具収納体24Lからのシートベルト連結金具の脱落のおそれを防止できる。
【００３４】
連結金具23は、例えば左右のベルト部22がほぼ等長に形成された３インチベルト幅型（以下、３インチ型という）の場合は、図７（ａ）に示される雄型金具23mと、この雄型金具23mと係合される図７（ｂ）に示される雌型金具23fとからなり、雄型金具23mは、コンソール16Rに取付けられた金具収納体24Rに収納され、雌型金具23fは、グラブハンドル25に取付けられた金具収納体24Lに収納される。
【００３５】
また、連結金具23が、例えば片側ベルト部が長く形成された２インチベルト幅型（以下、２インチ型という）の場合は、図７（ｃ）に示される雄型金具23m2と、この雄型金具23m2と係合される雌型金具（図示せず）とからなり、雄型金具23m2は、コンソール16R側に取付けられた金具収納体24Rに収納されるが、雌型金具（図示せず）は、短いベルト部に取付けられていて、床面まで落下するおそれがないので、金具収納体は必要ない。
【００３６】
これらの金具収納体24R，24Lは、図７（ａ）、（ｂ）、（ｃ）に示されるように、シートベルト21の連結解除された連結金具23m，23f，23m2の背面部、底面部、前面部および左右の側面部をそれぞれ支持する。
【００３７】
図６（ａ）は、オペレータの右側に位置する金具収納体24Rを固定側のコンソール16Rの後側面に取付けた例を示し、図６（ｂ）示されるように、金具収納体24R，24Lは、連結金具23m，23f，23m2の背面部を支持する背面支持部31と、連結金具23m，23f，23m2の底面部を支持する底面支持部32と、連結金具23m，23f，23m2の前面部を支持する前面支持部33と、連結金具23m，23f，23m2の左右の側面部をそれぞれ支持する側面支持部34とを具備し、背面支持部31の下部から底面支持部32および前面支持部33には、それらの中央部を開口した開口部35が設けられている。
【００３８】
金具収納体24R，24Lの背面支持部31、底面支持部32、前面支持部33および左右の側面支持部34は、１枚の板材たとえば鉄板などにより一連に形成され、左右の側面支持部34が背面支持部31に当接または溶接されている。
【００３９】
背面支持部31には、１対の取付穴36が設けられ、これらの取付穴36が、図２に示されるように右側のコンソール16Rの後側面にねじ37により取付けられ、または、図４に示されるように左側のコンソール16Lの後方に位置するグラブハンドル25に取付金具26を介してねじ37により取付けられている。
【００４０】
次に、この第１の実施の形態の作用効果を説明する。
【００４１】
非巻取り式のシートベルト21の連結解除された連結金具23m，23f，23m2は運転席15から脱落するおそれがあるので、その連結金具23m，23f，23m2を金具収納体24R，24L内に収納して脱落防止を図る。その際に、金具収納体24R，24Lは、背面支持部31、底面支持部32、前面支持部33および左右の側面支持部34によって、各々の連結金具23m，23f，23m2の背面部、底面部、前面部および左右の側面部をそれぞれ支持するので、１種類の形状の金具収納体24R，24Lでも、形状の異なる複数種の連結金具23m，23f，23m2を囲むようにして収納保持できる。
【００４２】
例えば、図７（ａ）に示されるように３インチ型の雄型金具23mは、金具幅方向が上下方向となるように金具収納体24Rに挿入し、また、図７（ｂ）に示されるように３インチ型の雌型金具23fは、金具幅方向が上下方向となるように金具収納体24Lに挿入し、また、図７（ｃ）に示されるように２インチ型の雄型金具23m2は、差込方向が上下方向となるように金具収納体24Rに挿入する。
【００４３】
その際、背面支持部31と底面支持部32と前面支持部33と左右の側面支持部34とを備えた金具収納体24R，24Lにより、形状の異なる複数種の連結金具23m，23f，23m2を囲むようにして確実に収納保持できる。
【００４４】
すなわち、３インチ型の雄型金具23mの差込方向寸法と、３インチ型の雌型金具23fの被差込方向寸法と、２インチ型の雄型金具23m2の金具幅寸法とがほぼ等しいので、１種類の金具収納体24R，24Lにより、３インチ型の雄型金具23m、３インチ型の雌型金具23f、２インチ型の雄型金具23m2を収納しても、これらが開口部35などから脱落するおそれがなく、確実に収納保持できる。
【００４５】
一方、金具収納体24R，24Lの底面支持部32および前面支持部33の中央部を開口することで、これらの開口部35に指を挿入して連結金具23m，23f，23m2の脱着操作を容易にできるとともに、この開口部35によって水や泥などのゴミが溜まることを防止できる。また、この開口部35を２インチ型シートベルトのベルト幅に形成した場合は、そのベルト部22を図７（ｃ）に示されるように開口部35からそのまま下方へ引出すことができるので、このベルト部22に張力が作用した場合でも、２インチ型の雄型金具23m2が金具収納体24Rから抜け出るおそれがない。
【００４６】
また、運転席15の右側部に設置されたコンソール16Rの後側面に金具収納体24Rを取付けることで、運転席15に位置するオペレータは、この金具収納体24Rへの雄型金具23m，23m2の収納操作を容易にできる。
【００４７】
さらに、この右側の固定設置されたコンソール16Rに対し左側のコンソール16Lはチルト回動可能に可動設置されたので、この可動側のコンソール16Lに金具収納体を取付ける場合は、その金具収納体から連結金具23が脱落するおそれもあるが、可動側のコンソール16Lの後方に位置するグラブハンドル25の一部に取付金具26を介して金具収納体24Lを固定設置することで、この金具収納体24Lからの雌型金具23fの脱落のおそれを防止できる。
【００４８】
さらに、金具収納体24R，24Lの背面支持部31、底面支持部32、前面支持部33および左右の側面支持部34は、プレスによる板金の打抜、曲げなどの加工によって１枚の板材から容易に形成できる。
【００４９】
次に、図８および図９に示された第２の実施の形態を説明する。なお、図１乃至図７に示された第１の実施の形態と同様の部分には、同一符号を付してその説明を省略する。
【００５０】
図８（ａ）は、オペレータの右側に位置する固定側のコンソール16Rの後側面に金具収納体24Rを取付けた例を示すが、左側に位置するチルト回動可能のコンソール（図示せず）の後方に位置するグラブハンドルの一部にも、図８（ｂ）に示されるように金具収納体24Rと同一形状の金具収納体24Lを取付ける。
【００５１】
図９にも示されるように、これらの金具収納体24R，24Lは、連結金具23m，23f，23m2の背面部を支持する背面支持部31と、連結金具23m，23f，23m2の底面部を支持する底面支持部32と、連結金具23m，23f，23m2の前面部を支持する前面支持部33と、連結金具23m，23f，23m2の左右の側面部をそれぞれ支持する側面支持部34とを備え、底面支持部32および前面支持部33の中央部に開口部35が設けられている。
【００５２】
金具収納体24R，24Lの背面支持部31、底面支持部32および前面支持部33は、１枚の板材により形成され、一方、金具収納体24R，24Lの左右の側面支持部34は、線材により形成されている。これらの側面支持部34は、背面支持部31および前面支持部33の対応する位置にＵ字状に切込形成された溝41，41間に嵌着され、かしめ、溶接などにより一体化されている。
【００５３】
そして、この第２の実施の形態によれば、左右の側面支持部34を線材により形成することで、金具収納体24R，24Lの背面支持部31、底面支持部32および前面支持部33を１枚の板材から一連に材料取りすることが可能であるから、板材からの材料取り効率を向上できる。
【００５４】
次に、図１０および図１１に示された第３の実施の形態を説明する。なお、図１乃至図７に示された第１の実施の形態と同様の部分には、同一符号を付してその説明を省略する。
【００５５】
図１０（ａ）は、オペレータの右側に位置する固定側のコンソール16Rの後側面に金具収納体24Rを取付けた例を示すが、左側に位置するチルト回動可能のコンソール（図示せず）の後方に位置するグラブハンドルの一部にも、図１０（ｂ）に示されるように金具収納体24Rと同一形状の金具収納体24Lを取付ける。
【００５６】
図１１にも示されるように、これらの金具収納体24R，24Lは、連結金具23m，23f，23m2の背面部を支持する背面支持部31と、連結金具23m，23f，23m2の底面部を支持する底面支持部32と、連結金具23m，23f，23m2の前面部を支持する前面支持部33と、連結金具23m，23f，23m2の左右の側面部をそれぞれ支持する側面支持部34とを備え、底面支持部32および前面支持部33の中央部に開口部35が設けられている。
【００５７】
金具収納体24R，24Lの背面支持部31、左右の側面支持部34および前面支持部33は、１枚の板材により形成され、一方、金具収納体24R，24Lの底面支持部32は、線材により形成されている。これらの底面支持部32は、背面支持部31および前面支持部33の下部に切欠形成された溝42，42間に溶接などにより一体化されている。
【００５８】
そして、この第３の実施の形態によれば、底面支持部32を線材により形成することで、金具収納体24R，24Lの背面支持部31、左右の側面支持部34および前面支持部33を１枚の板材から一連に材料取りすることが可能であるから、板材からの材料取り効率を向上できる。
【００５９】
次に、図１２および図１３に示された第４の実施の形態を説明する。なお、図１乃至図７に示された第１の実施の形態と同様の部分には、同一符号を付してその説明を省略する。
【００６０】
図１２（ａ）は、オペレータの右側に位置する固定側のコンソール16Rの後側面に金具収納体24Rを取付けた例を示すが、左側に位置するチルト回動可能のコンソール（図示せず）の後方に位置するグラブハンドルの一部にも、図１２（ｂ）に示されるように金具収納体24Rと同一形状の金具収納体24Lを取付ける。
【００６１】
図１３にも示されるように、これらの金具収納体24R，24Lは、連結金具23m，23f，23m2の背面部を支持する背面支持部31と、連結金具23m，23f，23m2の底面部を支持する底面支持部32と、連結金具23m，23f，23m2の前面部を支持する前面支持部33と、連結金具23m，23f，23m2の左右の側面部をそれぞれ支持する側面支持部34とを備えている。
【００６２】
これらの背面支持部31、底面支持部32、前面支持部33および左右の側面支持部34は、一連の線材を折曲成形して無端状に形成されている。上下の線材で形成された背面支持部31は、取付穴36を有する板状の背面支持部43に溶接されている。
【００６３】
そして、この第４の実施の形態によれば、金具収納体24R，24Lの背面支持部31、底面支持部32、前面支持部33および左右の側面支持部34を、１本の線材から安価に形成できる。
【００６４】
次に、図１４乃至図１７に示された第５の実施の形態を説明する。なお、図１乃至図７に示された第１の実施の形態と同様の部分には、同一符号を付してその説明を省略する。
【００６５】
運転席15の右側部に設けられた一側のコンソール16Rは固定設置され、運転席15の左側部に設けられた他側のコンソール16Lは、図１４および図１５に示されるように可動設置されている。固定設置された一側のコンソール16Rの後側面には、一側の金具収納体（図示せず）が直接取付けられ、また、可動設置された他側のコンソール16Lの後方に位置する機体11の一部の固定面51には、図１６および図１７に示されるように他側の金具収納体24Lが、取付板52を介してボルト53により取付けられている。
【００６６】
すなわち、オペレータから見て左側のコンソール16Lはチルト回動可能に設けられ、図１４に示されるようにオペレータが作業機械を運転するときのコンソール位置に対して、オペレータが乗降する際に図１５に示されるようにこのコンソール16Lを跳ね上げるため、この可動側のコンソール16Lには左側の金具収納体24Lを設置せず、機体11の左後側の固定面51に取付ける。
【００６７】
なお、図１８および図１９に示される第６の実施の形態のように、機体11の左後側の固定面51aに傾斜角度が付けられている場合は、この傾斜状の固定面51aに、同様に傾斜角度の付けられた取付板52aがボルト53aにより固定され、この取付板52aにねじ37により金具収納体24Lが取付けられている。
【図面の簡単な説明】
【００６８】
【図１】本発明に係る作業機械の第１の実施の形態を示す機体後方からの斜視図である。
【図２】同上作業機械のコンソールに取付けられたシートベルト用の金具収納体を示す斜視図である。
【図３】同上作業機械の機体前方からの斜視図である。
【図４】同上作業機械のグラブハンドルに取付けられたシートベルト用の金具収納体を示す斜視図である。
【図５】同上作業機械の全体を示す側面図である。
【図６】（ａ）は同上金具収納体を取付けたコンソールを示す斜視図、（ｂ）はその金具収納体の斜視図である。
【図７】（ａ）は同上金具収納体に３インチ型の雄型金具を収納した場合の斜視図、（ｂ）は同上金具収納体に３インチ型の雌型金具を収納した場合の斜視図、（ｃ）は同上金具収納体に２インチ型の雄型金具を収納した場合の斜視図である。
【図８】（ａ）は同上金具収納体の第２の実施の形態を取付けたコンソールを示す斜視図、（ｂ）はその金具収納体の斜視図である。
【図９】（ａ）は同上金具収納体に３インチ型の雄型金具を収納した場合の斜視図、（ｂ）は同上金具収納体に３インチ型の雌型金具を収納した場合の斜視図、（ｃ）は同上金具収納体に２インチ型の雄型金具を収納した場合の斜視図である。
【図１０】（ａ）は同上金具収納体の第３の実施の形態を取付けたコンソールを示す斜視図、（ｂ）はその金具収納体の斜視図である。
【図１１】（ａ）は同上金具収納体に３インチ型の雄型金具を収納した場合の斜視図、（ｂ）は同上金具収納体に３インチ型の雌型金具を収納した場合の斜視図、（ｃ）は同上金具収納体に２インチ型の雄型金具を収納した場合の斜視図である。
【図１２】（ａ）は同上金具収納体の第４の実施の形態を取付けたコンソールを示す斜視図、（ｂ）はその金具収納体の斜視図である。
【図１３】（ａ）は同上金具収納体に３インチ型の雄型金具を収納した場合の斜視図、（ｂ）は同上金具収納体に３インチ型の雌型金具を収納した場合の斜視図、（ｃ）は同上金具収納体に２インチ型の雄型金具を収納した場合の斜視図である。
【図１４】同上作業機械の第５の実施の形態を示す側面図である。
【図１５】同上作業機械のコンソールをオペレータ昇降時にチルト回動した場合の側面図である。
【図１６】同上作業機械の機体前方からの斜視図である。
【図１７】同上作業機械の機体に取付けられたシートベルト用の金具収納体を示す斜視図である。
【図１８】同上作業機械の第６の実施の形態を示す斜視図である。
【図１９】同上作業機械の機体に取付けられたシートベルト用の金具収納体を示す斜視図である。
【符号の説明】
【００６９】
11    機体
15    運転席
16R，16L    コンソール
21    シートベルト
22    ベルト部
23    連結金具
24R，24L    金具収納体
25    グラブハンドル
31    背面支持部
32    底面支持部
33    前面支持部
34    側面支持部
35    開口部
51    機体の一部の固定面
【図１】
2005178421.tif 000003
【図２】
2005178421.tif 000004
【図３】
2005178421.tif 000005
【図４】
2005178421.tif 000006
【図５】
2005178421.tif 000007
【図６】
2005178421.tif 000008
【図７】
2005178421.tif 000009
【図８】
2005178421.tif 000010
【図９】
2005178421.tif 000011
【図１０】
2005178421.tif 000012
【図１１】
2005178421.tif 000013
【図１２】
2005178421.tif 000014
【図１３】
2005178421.tif 000015
【図１４】
2005178421.tif 000016
【図１５】
2005178421.tif 000017
【図１６】
2005178421.tif 000018
【図１７】
2005178421.tif 000019
【図１８】
2005178421.tif 000020
【図１９】
2005178421.tif 000021